(57)【要約】【課題】車載用投影システムを提供する。【解決手段】かかる車載用投影システムは、少なくとも一つの映像光束を提供する投影装置と、前記少なくとも一つの映像光束を第一部分の光束及び第二部分の光束に分ける分光モジュールと、前記第一部分及び前記第二部分の光束をそれぞれ受け入れる二つの投影スクリーンと、を含む。前記第一部分及び前記第二部分の光束は、それぞれ、各自が対応する投影スクリーンに映像画面を形成する。【選択図】図１
2013088816.tif 000002
【特許請求の範囲】
【請求項１】
車載用投影システムであって、
少なくとも一つの映像光束を提供する投影装置と、
前記少なくとも一つの映像光束を第一部分の光束及び第二部分の光束に分ける分光モジュールと、
前記第一部分及び前記第二部分の光束をそれぞれ受け入れる二つの投影スクリーンであって、前記第一部分及び前記第二部分の光束は、それぞれ、各自が対応する投影スクリーンに映像画面を形成する、二つの投影スクリーンと、
を含む、車載用投影システム。
【請求項２】
前記映像光束は、第一映像データ及び第二映像データを含み、前記第一部分及び前記第二部分の光束は、それぞれ、前記第一及び前記第二映像データに対応する、
請求項１に記載の車載用投影システム。
【請求項３】
前記投影システムは、中央制御盤の内部に設置される、
請求項１に記載の車載用投影システム。
【請求項４】
前記二つの投影スクリーンは、前記中央制御盤の表面の形状に対応し、曲面を形成する、
請求項３に記載の車載用投影システム。
【請求項５】
前記第一及び前記第二映像データに対応する前記第一部分及び前記第二部分の光束は、前記投影装置から前記二つの投影スクリーンに交錯して投射される、
請求項２に記載の車載用投影システム。
【請求項６】
前記分光モジュールは、分光鏡を含み、前記分光鏡は、前記少なくとも一つの映像光束を前記第一部分及び前記第二部分の光束に分ける、
請求項２に記載の車載用投影システム。
【請求項７】
前記分光モジュールは、第一光学シャッター及び第二光学シャッターを含み、前記第一光学シャッターが開く時に、前記第一部分の光束を通過させ、前記二つの投影スクリーンのうちの一つに投射させ、且つ、前記第一光学シャッターは、前記第一映像データに合わせて開く又は閉まる、
請求項５に記載の車載用投影システム。
【請求項８】
前記第二光学シャッターが開く時に、前記第二部分の光束を通過させ、前記二つの投影スクリーンのうちのもう一つに投射させ、且つ、前記第二光学シャッターは、前記第二映像データに合わせて開く又は閉まる、
請求項７に記載の車載用投影システム。
【請求項９】
前記第一部分及び前記第二部分の光束は、それぞれ、異なる極性を有し、
前記分光モジュールは、第一偏光片及び第二偏光片を含み、前記第一偏光片は、前記第一部分の光束を通過させ、前記二つの投影スクリーンのうちの一つに投射させるために用いられ、前記第二偏光片は、前記第二部分の光束を通過させ、前記二つの投影スクリーンのうちのもう一つに投射させるために用いられる、
請求項２に記載の車載用投影システム。
【請求項１０】
前記投影装置は、光バルブを含み、前記光バルブの一つの領域は、第一映像データを有し、もう一つの域は、第二映像データを有し、前記第一部分及び前記第二部分の光束は、それぞれ、前記第一及び前記第二映像データに対応する、
請求項１に記載の車載用投影システム。
【請求項１１】
前記第一映像データ及び前記第二映像データに対応する前記第一部分の光束及び前記第二部分の光束は、同時に、前記投影装置から前記二つの投影スクリーンに投射される、
請求項１０に記載の車載用投影システム。
【請求項１２】
前記第一及び前記第二映像データに対応する前記第一部分及び前記第二部分の光束は、各自が対応する前記映像画面が重なり合わない、
請求項１０に記載の車載用投影システム。
【請求項１３】
前記分光モジュールは、複数の反射素子を含み、前記複数の反射素子は、前記少なくとも一つの映像光束を前記第一部分の光束及び前記第二部分の光束に分けるために用いられる、
請求項１０に記載の車載用投影システム。
【請求項１４】
前記分光モジュールは、複数の投射経路を含み、前記第一部分の光束は、前記複数の投射経路のうちの一つに伝播し、また、少なくとも一回の反射を経て、前記二つの投影スクリーンのうちの一つに投射する、
請求項１３に記載の車載用投影システム。
【請求項１５】
前記第二部分の光束は、前記複数の投射経路のうちのもう一つに伝播し、また、少なくとも一回の反射を経て、前記二つの投影スクリーンのうちのもう一つに投射する、
請求項１４に記載の車載用投影システム。
【請求項１６】
投影システムであって、
映像光束を提供する投影装置と、
前記映像光束を第一映像光束及び第二映像光束に分ける分光モジュールと、
前記第一及び前記第二映像光束をそれぞれ受け入れる二つの投影スクリーンであって、前記第一及び前記第二映像光束は、それぞれ、各自が対応する投影スクリーンに映像画面を形成する、二つの投影スクリーンと、
を含む、投影システム。
【請求項１７】
前記映像光束は、第一映像データ及び第二映像データを含み、前記第一及び前記第二映像光束は、それぞれ、前記第一及び前記第二映像データに対応する、
請求項１６に記載の投影システム。
【請求項１８】
前記第一及び前記第二映像データに対応する前記第一及び前記第二映像光束は、投影装置から前記二つの投影スクリーンに交錯して投射される、
請求項１６に記載の投影システム。
【請求項１９】
前記分光モジュールは、分光鏡を含み、前記分光鏡は、前記映像光束を前記第一及び前記第二映像光束に分ける、
請求項１６に記載の投影システム。
【請求項２０】
前記分光モジュールは、第一光学シャッター及び第二光学シャッターを含み、前記第一光学シャッターが開く時に、前記第一映像光束を通過させ、前記二つの投影スクリーンのうちの一つに投射させ、且つ、前記第一光学シャッターは、前記第一映像データに合わせて開く又は閉まる、
請求項１８に記載の投影システム。
【請求項２１】
前記第二光学シャッターが開く時に、前記第二映像光束を通過させ、前記二つの投影スクリーンのうちのもう一つに投射させ、且つ、前記第二光学シャッターは、前記第二映像データに合わせて開く又は閉まる、
請求項２０に記載の投影システム。
【請求項２２】
前記第一及び前記第二映像光束は、それぞれ、異なる極性を有し、
前記分光モジュールは、第一偏光片及び第二偏光片を含み、前記第一偏光片は、前記第一映像光束を通過させ、前記二つの投影スクリーンのうちの一つに投射させるために用いられ、前記第二偏光片は、前記第二映像光束を通過させ、前記二つの投影スクリーンのうちのもう一つに投射させるために用いられる、
請求項１７に記載の投影システム。
【請求項２３】
投影システムであって、
複数の映像光束を提供し、前記複数の映像光束の各々は、異なる映像データを有する投影装置と、
前記異なる映像データに従って、前記複数の映像光束を分ける分光モジュールと、
各自の対応する前記複数の映像光束を受け入れ、各自の映像画面を形成するために用いられる複数の投影スクリーンと、
を含む、投影システム。
【請求項２４】
前記投影装置は、光バルブを含み、前記光バルブは、複数の領域を有し、前記複数の領域は、各自が対応する映像データをそれぞれ有する、
請求項２３に記載の投影システム。
【請求項２５】
前記複数の映像光束は、同時に、前記投影装置により、各自が対応する前記複数の投影スクリーンに投射される、
請求項２４に記載の投影システム。
【請求項２６】
前記複数の映像光束は、各自が対応する前記複数の映像画面が重なり合わない、
請求項２４に記載の投影システム。
【請求項２７】
前記分光モジュールは、複数の反射素子を含み、前記複数の異なる映像データに従って、前記複数の映像光束を分ける、
請求項２４に記載の投影システム。
【請求項２８】
前記分光モジュールは、複数の投射経路を含み、前記複数の映像光束は、前記複数の投射経路のうちの一つに伝播し、少なくとも一回の反射を経て、前記複数の投影スクリーンのうちの一つに投射する、
請求項２７に記載の投影システム。
【発明の詳細な説明】
【技術分野】
【０００１】
本発明は、投影システムに関し、特に、車載用投影システムに関する。
【背景技術】
【０００２】
科学技術の進歩に伴い、例えば、自動車の中央制御盤には、オーディオ・ビデオ、ナビゲーション及び電話等、様々な先進な機能が搭載されている。しかし、狭い中央制御盤に上述の各種の機能を制御するための従来の押しボタンや回転ボタンをたくさん設置すると、このようなボタンは、中央制御盤に押し合うようになってしまう。よって、これらの複雑な機能を制御するためのタッチスクリーン技術が多くの自動車メーカーにより導入され、これにより、中央制御盤の設計がより簡潔になる。
【０００３】
いまのところ、自動車メーカーは、主に、薄膜トランジスタ液晶ディスプレイ（TFT-LCD）を使用して自動車の中央制御盤を設計する。しかし、TFT-LCDは、半導体と同様に、その製造プロセスでは、真空気相メッキ及びエッチングを要するので、基板材料は、通常、強酸・強アルカリの腐食に耐え、且つ、高温に耐えるガラス材質を採用する。その同時に、気相メッキにおける均一性への要求があるため、ガラス材質は、非常に平坦な平面でなければならないので、その外形設計の可塑性は、大いに制限されている。また、比較的に新しい有機発光ダイオード（OLED）による表示技術は、可撓性の特徴を有し、また、広い視角及び良好な色飽和度をも有するが、克服されていない多くの技術問題が依然として存在する。例えば、量産の技術が足りず、使用寿命がＬＣＤよりも短く、及び、大きいサイズの応用がまだ成熟していないなどのような欠点が存在する。
【０００４】
今の主流であるスクリーン技術、例えば、ＬＣＤ又はＯＬＥＤは、実用性が高く、サイズが大きく、及び使用寿命が長い曲面表示器を有効に達成することができない。よって、当面は、自動車メーカーは、車内のスクリーン表示器の外形を設計する時に、往々に、パネルの平面外形の制限に屈し、単調な表示インターフェースしか設計できない。また、単調過ぎるので、このような表示器は、通常、自動車メーカーに一種類の設計要素として見なされることがない。
【０００５】
したがって、投影システムは、自動車のオーディオ・ビデオシステムに用いることができれば、その多様性を増大させることができるのにならず、そのコストを有効且つ実用に下げることもできる。また、運転時に、運転者の鑑賞したい画面への要求は、他の乗客と往々に異なるので、如何に投影システムを設計して運転者及び他の乗客の要求を同時に満たすことができるかは、一つの重要な課題となっている。例えば、特許文献１及び特許文献２には、ともに、車載用投影システムの技術が開示されている。
【先行技術文献】
【特許文献】
【０００６】
【特許文献１】台湾特許公開第2010/09473号
【特許文献２】米国特許第7777960号
【発明の概要】
【発明が解決しようとする課題】
【０００７】
本発明の目的は、異なる鑑賞者のニーズを満足することができる投影システムを提供することにある。
【０００８】
本発明の他の目的及び利点については、本発明に開示されている技術的特徴から更なる理解を得ることができる。
【課題を解決するための手段】
【０００９】
上述の一又は部分又は全部の目的若しくは他の目的を達成するために、本発明の一実施例では、車載用投影システムが提供される。この投影システムは、投影装置、分光モジュール、及び二つの投影スクリーンを含む。投影装置は、少なくとも一つの映像光束を提供する。分光モジュールは、少なくとも一つの映像光束を、第一部分の光束及び第二部分の光束に分ける。二つの投影スクリーンは、それぞれ、第一部分及び第二部分の光束を受け入れる。第一部分及び第二部分の光束は、それぞれ、各自が対応する投影スクリーンに映像画面を形成する。
【００１０】
本発明の一実施例では、上述の映像光束は、第一映像データ及び第二映像データを含む。第一部分及び第二部分の光束は、それぞれ、第一及び第二映像データに対応する。
【００１１】
本発明の一実施例では、上述の投影システムは、車両の中央制御盤の内部に設置される。
【００１２】
本発明の一実施例では、上述の投影スクリーンは、中央制御盤の表面の形状に対応し、曲面を形成する。
【００１３】
本発明の一実施例では、上述の第一及び第二映像データは、投影装置から外へ交錯して投射される。
【００１４】
本発明の一実施例では、上述の分光モジュールは、分光鏡を含む。分光鏡は、少なくとも一つの映像光束を第一部分及び第二部分の光束に分ける。
【００１５】
本発明の一実施例では、上述の分光モジュールは、第一光学シャッター（optical shutter）及び第二光学シャッターを含む。第一光学シャッターが開く時に、第一部分の光束を通過させ、二つの投影スクリーンのうちの一つに投射させ、且つ、第一光学シャッターが、第一映像データが投影装置から外へ投射されることに合わせて、開く又は閉まる。
【００１６】
本発明の一実施例では、上述の第二光学シャッターが開く時に、第二部分の光束を通過させ、二つの投影スクリーンのうちのもう一つに投射させ、且つ、第二光学シャッターが、第二映像データが投影装置から外へ投射されることに合わせて、開く又は閉まる。
【００１７】
本発明の一実施例では、上述の第一部分及び第二部分の光束は、それぞれ、異なる極性を有する。分光モジュールは、第一偏光片（polarizer）及び第二偏光片を含む。第一偏光片は、第一部分の光束を通過させ、二つの投影スクリーンのうちの一つに投射させるために用いられる。第二偏光片は、第二部分の光束を通過させ、二つの投影スクリーンのうちのもう一つに投射させるために用いられる。
【００１８】
本発明の一実施例では、上述の投影装置は、光バルブ（light valve）を含む。光バルブの一領域は、第一映像データを有し、他の領域は、第二映像データを有し、第一部分及び第二部分の光束は、それぞれ、第一及び第二映像データに対応する。
【００１９】
本発明の一実施例では、上述の第一映像データ及び第二映像データに対応する第一部分の光束及び第二部分の光束は、同時に、投影装置からこれらの投影スクリーンに投射される。
【００２０】
本発明の一実施例では、上述の第一及び第二映像データに対応する第一部分の光束及び第二部分の光束は、各自が対応する映像画面が重なり合わない。
【００２１】
本発明の一実施例では、上述の分光モジュールは、複数の反射素子を含む。反射素子は、少なくとも一つの映像光束を第一部分の光束及び第二部分の光束に分けるために用いられる。
【００２２】
本発明の一実施例では、上述の分光モジュールは、複数の投射経路を含む。第一部分の光束は、複数の投射経路のうちの一つに伝播し、少なくとも一回の反射を経て、二つの投影スクリーンのうちの一つに投射する。
【００２３】
本発明の一実施例では、上述の第二部分の光束は、複数の投射経路のうちもう一つに伝播し、少なくとも一回の反射を経て、二つの投影スクリーンのうちもう一つに投射する。
【００２４】
本発明の他の実施例では、投影システムが提供される。この投影システムは、投影装置、分光モジュール、及び二つの投影スクリーンを含む。投影装置は、映像光束を提供する。分光モジュールは、映像光束を第一映像光束及び第二映像光束に分ける。二つの投影スクリーンは、それぞれ、第一及び第二映像光束を受け入れる。第一及び第二映像光束は、それぞれ、各自が対応する投影スクリーンに映像画面を形成する。
【００２５】
本発明の一実施例では、上述の映像光束は、第一映像データ及び第二映像データを含む。第一及び第二映像光束は、それぞれ、第一及び第二映像データに対応する。
【００２６】
本発明の一実施例では、上述の第一及び第二映像データに対応する第一映像光束及び第二映像光束は、投影装置から外へ交錯して投射される。
【００２７】
本発明の一実施例では、上述の分光モジュールは、分光鏡を含む。分光鏡は、映像光束を第一部分及び第二部分の映像光束に分ける。
【００２８】
本発明の一実施例では、上述の分光モジュールは、第一光学シャッター及び第二光学シャッターを含む。第一光学シャッターが開く時に、第一映像光束を通過させ、二つの投影スクリーンのうちの一つに投射させ、且つ、第一光学シャッターが、第一映像データに合わせて、開く又は閉まる。
【００２９】
本発明の一実施例では、上述の第二光学シャッターが開く時に、第二映像光束を通過させ、二つの投影スクリーンのうちのもう一つに投射させ、且つ、第二光学シャッターが、第二映像データに合わせて、開く又は閉まる。
【００３０】
本発明の一実施例では、上述の第一及び第二映像光束は、それぞれ、異なる極性を有する。分光モジュールは、第一偏光片及び第二偏光片を含む。第一偏光片は、第一映像光束を通過させ、二つの投影スクリーンのうちの一つに投射させるために用いられる。第二偏光片は、第二映像光束を通過させ、二つの投影スクリーンのうちのもう一つに投射させるために用いられる。
【００３１】
本発明の他の実施例では、投影システムが提供される。この投影システムは、投影装置、分光モジュール、及び複数の投影スクリーンを含む。投影装置は、複数の映像光束を提供し、そのうち、複数の映像光束の各自は、異なる映像データを有する。分光モジュールは、これらの異なる映像データに従って、これらの映像光束を区分する。複数の投影スクリーンは、それぞれ、各自が対応するこれらの映像光束を受け入れ、複数の投影スクリーンに各自の映像画面を形成するために用いられる。
【００３２】
本発明の一実施例では、上述の投影装置は、光バルブを含む。光バルブは、複数の領域を有し、複数の領域は、それぞれ、各自が対応する映像データを有する。
【００３３】
本発明の一実施例では、上述の複数の映像光束は、同時に、投影装置により、各自が対応する投影スクリーンに投射される。
【００３４】
本発明の一実施例では、上述の複数の映像光束は、各自が対応する映像画面が重なり合わない。
【００３５】
本発明の一実施例では、上述の分光モジュールは、複数の反射素子を含み、これらの異なる映像データに従って、これらの映像光束を分ける。
【００３６】
本発明の一実施例では、上述の分光モジュールは、複数の投射経路を含む。映像光束は、これらの投射経路のうちの一つに伝播し、少なくとも一回の反射を経て、これらの投影スクリーンのうちの一つに投射する。
【００３７】
上述により、本発明の実施例は、次の利点又は機能・効果の少なくとも一つを達成することができる。本発明の例示的な実施例では、投影装置の電子信号を利用し、機械式の分光モジュールに合わせることで、投影システムは、二種類の画面の信号を異なるスクリーンにそれぞれ投射することができ、これにより、異なる鑑賞者のニーズを満たすことができる。
【図面の簡単な説明】
【００３８】
【図１】本発明の第一実施例における投影システムを示す図である。
【図２】第一実施例において投影装置及び第一、第二光学シャッターを制御する電子信号を示す図である。
【図３】本発明の第二実施例における投影システムを示す図である。
【図４】本発明の第二実施例における投影装置の光バルブを示す図である。
【図５】本発明の他の実施例における投影装置の光バルブを示す図である。
【図６】本発明の一実施例における投影システムが自動車の内部に応用される様子を示す図である。
【発明を実施するための形態】
【００３９】
次に、添付した図面を参照しながら、本発明の好適な実施形態を詳細に説明する。
【００４０】
なお、次の各実施例の説明は、添付した図面を参照して行われたものであり、本発明の実施可能な特定の実施例を例示するために用いられる。また、次の各実施例に言及した方向の用語、例えば、上、下、前、後、左、右などは、添付した図面の方向を参考するためのもののみである。よって、以下に使用された方向の用語は、説明のために用いられ、本発明を限定するためのものでない。
【実施例１】
【００４１】
図１は、本発明の第一実施例における投影システムを示す図である。図１を参照する。本実施例の投影システム１００は、投影装置１１０、分光モジュール１２０、及び二つの投影スクリーン１３０ａ、１３０ｂを含む。投影装置１１０は、映像光束Ａ＋Ｂを提供する。分光モジュール１２０は、映像光束Ａ＋Ｂを第一映像光束Ａ１及び第二映像光束Ｂ２を分ける。二つの投影スクリーン１３０ｂ、１３０ａは、それぞれ、第一及び第二映像光束Ａ１及びＢ２を受け入れる。第一及び第二映像光束Ａ１及びＢ２は、それぞれ、各自が対応する投影スクリーン１３０ｂ、１３０ａに映像画面を形成する。本実施例では、第一映像光束Ａ１は、投影スクリーン１３０ｂに、例えば、運転者が鑑賞したい映像画面、例えば、ナビゲーション画面を形成し、第二映像光束Ｂ２は、投影スクリーン１３０ａに、例えば、他の乗客が鑑賞したい映像画面、例えば、映画映像を形成し、これにより、異なる鑑賞者のニーズを満たすことができる。
【００４２】
よって、少なくとも上述の目的を達成するために、第一映像光束Ａ１は、第一映像データを有し、第二映像光束Ｂ２は、第二映像データを有し、両者は、例えば、それぞれ、異なる鑑賞者が鑑賞したい映像データ、例えば、運転データ、道路状況データ、及び娯楽プログラムなどのマルチメデア映像である。
【００４３】
分光モジュール１２０は、分光鏡１２２、第一光学シャッター１２４ａ及び第二光学シャッター１２４ｂを含み、光学シャッターは、液晶パネル(LCD panel)又は機構式の回折格子装置であってもよい。分光鏡１２２は、例えば、光束の半光量を透過させて半光量を反射させる分光鏡であるので、映像光束Ａ＋Ｂを、第一部分の映像光束Ａ１＋Ｂ１、及び、第二部分の映像光束Ａ２＋Ｂ２に分けることができる。よって、第一部分の映像光束Ａ１＋Ｂ１、及び、第二部分の映像光束Ａ２＋Ｂ２は、分光前の映像光束Ａ＋Ｂに比べ、その輝度が例えば、元の５０％であるが、これに限られない。第一部分の映像光束Ａ１＋Ｂ１について言えば、第一光学シャッター１２４ａが開く時に、第一部分の映像光束Ａ１＋Ｂ１中の第一映像光束Ａ１を透過させ、投影スクリーン１３０ｂに投射させることができ、これにより、第一映像画面を形成する。第二部分の映像光束Ａ２＋Ｂ２について言えば、第二光学シャッター１２４ｂが開く時に、第二部分の映像光束Ａ２＋Ｂ２中の第二映像光束Ｂ２を透過させ、投影スクリーン１３０ａに投射させることができ、これにより、第二映像画面を形成する。
【００４４】
図２は、第一実施例において投影装置及び第一、第二光学シャッターを制御する電子信号を示す図である。図１及び図２を参照する。本実施例では、少なくとも異なるスクリーンに異なる映像を投影する目的を達成するために、第一及び第二映像データを有する第一映像光束Ａ１及び第二映像光束Ｂ２は、投影装置１１０から外へ交錯して投射される。且つ、第一光学シャッター１２４ａは、第一映像データが投影装置１１０から外へ投射される周波数に合わせて、開く又は閉まる。また、第二光学シャッター１２４ｂは、第二映像データが投影装置１１０から外へ投射される周波数に合わせて、開く又は閉まる。なお、光学シャッターの開閉は、映像データが外へ投射される周波数に合わせることに限られない。
【００４５】
詳細に言えば、図２では、制御信号ＳＰは、投影装置１１０が映像データを投射することを制御する電子信号である。制御信号ＳＰのハイレベルに付けられる符号Ａ及びＢは、それぞれ、該時間序列における制御信号ＳＰの制御により投影装置１１０から投射される映像光束Ａ＋Ｂを代表し、第一映像光束Ａ１に対応する第一映像データを含み、又は、第二映像光束Ｂ２に対応する第二映像データを含む。
【００４６】
制御信号ＳＡ、ＳＢは、それぞれ、第一及び第二光学シャッター１２４ａ、１２４ｂの開閉を制御する電子信号である。第一部分の映像光束Ａ１＋Ｂ１が第一光学シャッター１２４ａに伝播した時に、第一光学シャッター１２４ａは、ハイレベルの制御信号ＳＡの制御により開き、これにより、第一映像光束Ａ１は、通過し、投影スクリーン１３０ｂに投影する。同様に、第二部分の映像光束Ａ２＋Ｂ２が第二光学シャッター１２４ｂに伝播した時に、第二光学シャッター１２４ｂは、ハイレベルの制御信号ＳＢの制御により開き、これにより、第二映像光束Ｂ２は、通過し、投影スクリーン１３０ａに投影する。制御信号ＳＡ、ＳＢのハイレベルに付けられる符号Ａ及びＢは、それぞれ、該時間序列における第一又は第二光学シャッター１２４ａ、１２４ｂが開くことを代表する。
【００４７】
よって、本実施例では、投影装置１１０の電子信号を利用して第一及び第二光学シャッター１２４ａ、１２４ｂの切り替えを行うことにより、一つの装置で複数の画面を生成できるという効果を達成することができる。投影装置１１０は、交錯の時間序列の形式で、映像光束Ａ＋Ｂの第一及び第二映像データを外へ投射する。さらに、分光モジュール１２０を利用して映像光束Ａ＋Ｂを二つに分割し、分割後の第一部分及び第二部分の光束Ａ１＋Ｂ１、Ａ２＋Ｂ２は、それぞれ、第一及び第二光学シャッター１２４ａ、１２４ｂを通過した時に、投影スクリーン１３０ｂ、１３０ａが要する映像光束Ａ１、Ｂ２にフィルタリングされ、これにより、異なる鑑賞者のニーズを満たすことができる。
【００４８】
一方、本実施例では、上述の第一及び第二映像光束Ａ１、Ｂ２は、それぞれ、異なる極性を有してもよい。例えば、第一映像光束Ａ１は、Ｐ極性であり、且つ、第一映像データを有し、第二映像光束Ｂ２は、Ｓ極性であり、且つ、第二映像データを有する。この時に、第一及び第二光学シャッター１２４ａ、１２４ｂは、それぞれ、第一偏光片及び第二偏光片（図示せず）により置換されてもよい。第一偏光片は、第一映像光束Ａ１を通過させ、投影スクリーン１３０ｂに投射させるために用いられる。第二偏光片は、第二映像光束Ｂ２を通過させ、投影スクリーン１３０ａに投射させるために用いられる。
【実施例２】
【００４９】
図３は、本発明の第二実施例における投影システムを示す図である。本実施例の投影システム３００は、投影装置３１０、分光モジュール３２０、及び二つの投影スクリーン３３０ａ、３３０ｂを含む。投影装置３１０は、例えば、第一及び第二映像光束Ａ、Ｂを含む複数の映像光束を提供し、第一及び第二映像光束Ａ、Ｂの両者は、それぞれ、第一及び第二映像データに対応する。なお、本実施例では、少なくとも異なるスクリーンに異なる映像を同時に投影する目的を達成するために、第一及び第二映像光束Ａ、Ｂは、投影装置３１０から外へ同時に投射され、これにより、異なる鑑賞者のニーズを満たすことができる。
【００５０】
詳細に言えば、図４は、本発明の第二実施例における投影装置の光バルブを示す図である。図３及び図４を参照する。本実施例の投影装置３１０の内部は、光バルブ３１２を含む。図４に示すように、光バルブ３１２の右半分３１２ａは、第一映像データに対応する映像画面を有し、左半分３１２ｂは、第二映像データに対応する映像画面を有する。よって、投影装置３１０が光バルブ３１２を経由して外へ投射した第一及び第二映像光束Ａ、Ｂは、それぞれ、第一及び第二映像データに対応し、例えば、第一映像光束Ａは、光バルブ３１２の右半分３１２ａにより生成され、逆に、第二映像光束Ｂは、光バルブ３１２の左半分３１２ｂにより生成される。本実施例では、第一及び第二映像光束Ａ、Ｂは、光バルブ３１２において、各自が対応する映像画面が重なり合わない。第一映像データ及び第二映像データは、例えば、それぞれ、異なる鑑賞者が鑑賞したい映像データ、例えば、運転データ、道路状況データ、及び娯楽プログラムなどのマルチメデア映像である。
【００５１】
投影装置３１０が第一及び第二映像光束Ａ、Ｂを外へ投射した後に、分光モジュール３２０は、第一及び第二映像光束Ａ、Ｂを二つの経路に分け、また、それぞれを二つの投影スクリーンに投射させる。本実施例では、分光モジュール３２０は、複数の反射素子３２２ａ、３２２ｂ、３２２ｃ、３２２ｄを含む。これらの反射素子は、例えば、反射鏡であり、第一又は第二映像光束Ａ、Ｂを反射するために用いられる。
【００５２】
本実施例では、分光モジュール３２０は、投影経路ＰＡ、ＰＢを含む。第一映像光束Ａを例とすると、それは、分光モジュール３２０の投影経路ＰＡに伝播し、反射素子３２２ａ、３２２ｃのそれぞれの反射を経てから、投影スクリーン３３０ａに投射する。言い換えると、第一映像光束Ａは、少なくとも一回の反射を経てから、二つの投影スクリーンのうちの一つに投射する。同様に、第二映像光束Ｂは、分光モジュール３２０の投影経路ＰＢに伝播し、反射素子３２２ｂ、３２２ｄのそれぞれの反射を経てから、投影スクリーン３３０ｂに投射する。言い換えると、第二映像光束Ｂは、少なくとも一回の反射を経てから、二つの投影スクリーンのうちのもう一つに投射する。
【００５３】
本実施例では、光バルブ３１２は、二つの部分に分け、即ち、右半分３１２ａと左半分３１２ｂを含む。他の実施例では、光バルブは、複数の部分に分割してもよく、これにより、一つの装置で複数の画面を生成できるという効果を達成することができる。図５は、本発明の他の実施例における投影装置の光バルブを示す図である。図５を参照する。本実施例の光バルブ５１２は、四つの部分に分け、即ち、右上部分５１２ａ、左上部分５１２ｂ、右下部分５１２ｃ、及び左下部分５１２ｄを含み、これらの四つの部分は、それぞれ、異なる映像データに対応する。この光バルブの表示方式に合わせて、分光モジュール３２０は、例えば、複数の投影経路を含んでもよく、これにより、これらの部分の映像光束を異なる投影スクリーンに投射することができる。言い換えると、本実施例の光バルブが分割される数、及び、生成される映像光束及び投影スクリーンの数は、本発明において限定されない。
【００５４】
よって、異なる映像画面を含む光バルブを利用することより、投影装置３１０は、一つの装置で複数の画面を形成できるという効果を達成することができる。投影装置３１０は、同時に、第一映像データを含む第一映像光束Ａ、及び、第二映像データを含む第二映像光束Ｂを分光モジュール３２０に投射する。さらに、分光モジュール３２０を利用して第一及び第二映像光束Ａ、Ｂを異なる反射経路に伝播させ、投影スクリーン３３０ａ、３３０ｂに所要の映像画面を投射させ、これにより、異なる鑑賞者のニーズを満たすことができる。
【００５５】
以上述べたところを総合すれば、本発明の実施例は、次の利点又は機能・効果の少なくとも一つを達成することができる。本発明の例示的な実施例では、投影システムは、投影装置において異なる映像データを有する電子信号を利用し、又は、投影装置において画面が既に分割されている光バルブを利用し、機械式の分光モジュールに合わせることで、二種類の異なる画面の映像をそれぞれ異なるスクリーンに投射し、これにより、異なる鑑賞者のニーズを満たすことができる。
【００５６】
図６は、本発明の一実施例における投影システムが自動車の内部に応用される様子を示す図である。図１及び図６を参照する。投影システム１００は、例えば、自動車の内部に応用され、一つの装置で複数の画面を形成できるという効果を実現するものである。本実施例では、第一映像光束Ａ１は、投影スクリーン１３０ａに、例えば、運転者が鑑賞したい映像画面を形成し、第二映像光束Ｂ２は、投影スクリーン１３０ｂに、例えば、他の乗客が鑑賞したい映像画面を生成し、これにより、異なる鑑賞者のニーズを満足することができる。
【００５７】
一方、第二実施例の投影システム３００は、自動車の内部（図示せず）に応用されてもよく、この時は、図３中の第一及び第二映像光束Ａ、Ｂは、それぞれ、異なる反射経路に伝播し、これにより、投影スクリーン３３０ａ、３３０ｂに、所要の映像画面を投射させることができる。
【００５８】
本発明は、前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。また、本明細書又は特許請求の範囲に言及している「第一」、「第二」等の用語は、素子（ｅｌｅｍｅｎｔ）に名前を付け、または、異なる実施例又は範囲を区別するためのもののみであり、要素の数量上の上限又は下限を限定するためのものでない。
【符号の説明】
【００５９】
１００、３００  投影システム
１１０、３１０  投影装置
１２０、３２０  分光モジュール
１２２  分光鏡
１２４ａ  第一光学シャッター
１２４ｂ  第二光学シャッター
１３０ａ、１３０ｂ、３３０ａ、３３０ｂ  投影スクリーン
３１２、５１２  光バルブ
３１２ａ  光バルブの右半分
３１２ｂ  光バルブの左半分
５１２ａ  光バルブの右上部分
５１２ｂ  光バルブの左上部分
５１２ｃ  光バルブの右下部分
５１２ｄ  光バルブの左下部分
３２２ａ、３２２ｂ、３２２ｃ、３２２ｄ  反射素子
Ｓｐ、ＳＡ、ＳＢ  制御信号
ＰＡ、ＰＢ  投射経路
Ａ＋Ｂ  映像光束
Ａ１＋Ｂ１  第一部分の映像光束
Ａ２＋Ｂ２  第二部分の映像光束
Ａ、Ａ１  第一映像光束
Ｂ、Ｂ２  第二映像光束
【図１】
2013088816.tif 000003
【図２】
2013088816.tif 000004
【図３】
2013088816.tif 000005
【図４】
2013088816.tif 000006
【図５】
2013088816.tif 000007
【図６】
2013088816.tif 000008